(57)【要約】【課題】固定作業が無くて着用作業にも手間がかからず、着用時の快適性が向上して、横向きに寝た状態での腰脇部分からの横漏れを広範囲で確実に防止できるようにする。【解決手段】前腹部Ｐと股部Ｒと後背部Ｑとを形成するおむつ本体２と、このおむつ本体２の前腹部Ｐと後背部Ｑとを左右位置でそれぞれ連結する伸縮性ベルト材３とでなり、この左右の伸縮性ベルト材３の腰脇部分に、腰脇用吸収体１５がそれぞれ固定配置されている。【選択図】  図１
2004236850.tif 000002
【特許請求の範囲】
【請求項１】
前腹部と股部と後背部とを形成するおむつ本体と、このおむつ本体の前腹部と後背部とを左右位置でそれぞれ連結する伸縮性ベルト材とでなる使い捨てベルト型おむつにおいて、
上記左右の伸縮性ベルト材の腰脇部分に、腰脇用吸収体がそれぞれ固定配置されていることを特徴とする使い捨てベルト型おむつ。
【請求項２】
上記おむつ本体の股部に、股用吸収体が固定配置されている請求項１記載の使い捨てベルト型おむつ。
【請求項３】
上記おむつ本体の股部両側に、脚用凹部が形成されている請求項１または２記載の使い捨てベルト型おむつ。
【請求項４】
上記おむつ本体の股部両側に、レッグ用弾性糸が添設されている請求項１〜３のいずれか１項に記載の使い捨てベルト型おむつ。
【請求項５】
上記おむつ本体の股部両側に、立ち上がりフラップが取付けられている請求項１〜４のいずれか１項に記載の使い捨てベルト型おむつ。
【請求項６】
上記伸縮性ベルト材の腰脇用吸収体が固定配置された部位の収縮力が小さく設定されている請求項１〜５のいずれか１項に記載の使い捨てベルト型おむつ。
【請求項７】
上記左右の伸縮性ベルト材の内面下部に、上方に向かって開口するポケット用立ち上がりフラップが取付けられている請求項１〜６のいずれか１項に記載の使い捨てベルト型おむつ。
【請求項８】
長さ方向に連続するおむつ本体用シート材の股部に相当する部位の幅方向の両側に、レッグ用弾性糸を添設する工程と、
この股部に股用吸収体を固定配置する工程と、
おむつ本体用シート材の幅方向の両側に、長さ方向に連続する立ち上がりフラップ用シート材を取付ける工程と、
長さ方向に連続する左右の伸縮性ベルト材の腰脇部分に相当する部位に、腰脇用吸収体をそれぞれ固定配置する工程と、
おむつ本体用シート材の上に、股用吸収体の両側に腰脇用吸収体が位置するように、左右の伸縮性ベルト材を重ね合わせる工程と、
先行する各吸収体と後行する各吸収体との間のおむつ本体用シート材と立ち上がりフラップ用シート材と伸縮性ベルト材とを、幅方向の両側で略Ｖ字状に接合する工程と、
この略Ｖ字状の接合部より外側の各シート材とベルト材の三角部分をカットするとともに、この三角部分の頂部を幅方向にカットする工程とを含むことを特徴とする使い捨てベルト型おむつの製造方法。
【発明の詳細な説明】
【０００１】
【発明の属する技術分野】
本発明は、横向きに寝た状態での腰脇部分からの横漏れを広範囲で確実に防止できる使い捨てベルト型おむつ及びその製造方法に関する。
【０００２】
【従来の技術】
従来、使い捨ておむつと併用する使い捨て補助吸収具として、使い捨ておむつの前腹部または後背部の左右のサイドフラップに別体の補助吸収具をそれぞれ面ファスナーで着脱自在に固定するものがある（例えば、特許文献１参照）。
【０００３】
また、使い捨ておむつと共に着用される使い捨て補助吸収具として、中央縦割りの半パンツ状物がある（例えば、特許文献２参照）。
【０００４】
さらに、使い捨てアンダーガーメントとして、股用吸収体が配置された股部の左右に、前腹部と後背部の左半分と右半分がそれぞれ形成されて、左右の前腹部の前端同士と後背部の後端同士とが接合されるとともに、この各半分の前腹部と後背部とに跨ってスリット状の脚穴部がそれぞれ形成されたものがある（例えば、特許文献３参照）。
【０００５】
さらにまた、前腹部と股部と後背部とを形成するおむつ本体と、このおむつ本体の前腹部と後背部とを左右位置でそれぞれ連結する伸縮性ベルト材とでなるものがある（例えば、特許文献４参照）。
【０００６】
【特許文献１】
特開２００１−３５３１８０号公報
【特許文献２】
特開２００１−３４０３７０号公報
【特許文献３】
特開２００２−２４２００１号公報
【特許文献４】
特開平４−２８３６５号公報
【０００７】
【発明が解決しようとする課題】
しかしながら、特許文献１では、展開可能な使い捨ておむつを対象としており、使い捨ておむつを展開状態として、前腹部または後背部の左右のサイドフラップに別体の補助吸収具をそれぞれ正規の位置に固定する必要があるから、着用者や介護者にとって固定作業に手間がかかるという問題がある。
【０００８】
また、ファスニングテープ等で使い捨ておむつを組み立てて着用するから（開閉式テープ型）、着用時の快適性に欠けるという問題がある。
【０００９】
さらに、前腹部または後背部の左右のサイドフラップに補助吸収具を面ファスナーで着脱自在に固定するだけであるから、着用者の寝返り等の動作により外れて、漏れにつながりやすいという問題がある。
【００１０】
特許文献２では、中央縦割りの半パンツ状物である使い捨て補助吸収具を着用した上に使い捨ておむつを重ねて着用する必要があるから、着用者や介護者にとって着用作業に手間がかかるという問題がある。
【００１１】
また、補助吸収具と使い捨ておむつを２重に着用するから、着用時の快適性に欠けるという問題がある。
【００１２】
さらに、補助吸収具は、着用者の左右のいずれか片方しかカバーできないので、例えば左側が下向きとなっている状態から、右側が下向きとなるように着用者が寝返ったような場合には、腰脇部分からの横漏れを広範囲で確実に防止できないという問題がある。
【００１３】
特許文献３では、弾性伸縮性を有する生地で形成され、股部の左右に形成した前腹部と後背部の左半分と右半分とを、前端同士と後端同士とを接合してなる使い捨てアンダーガーメントが開示されているが、各半分の前腹部と後背部とに跨ってスリット状の脚穴部を形成する構成とすることで、半円状の脚穴部を形成することによる生地の無駄を省くようにしたものであり、横向きに寝た状態での腰脇部分からの横漏れを広範囲で確実に防止できるものではない。
【００１４】
特許文献４では、おむつ本体を左右の伸縮性ベルト材で連結しているが、横向きに寝た状態での腰脇部分からの横漏れを広範囲で確実に防止できるものではない。
【００１５】
本発明は、上記問題を解消するためになされたもので、従来の補助吸収具のような固定作業が無くて着用作業にも手間がかからず、着用時の快適性が向上して、横向きに寝た状態での腰脇部分からの横漏れを広範囲で確実に防止できる使い捨てベルト型おむつを提供することを課題とするものである。
【００１６】
【課題を解決するための手段】
上記課題を解決するために、本発明の請求項１は、前腹部と股部と後背部とを形成するおむつ本体と、このおむつ本体の前腹部と後背部とを左右位置でそれぞれ連結する伸縮性ベルト材とでなる使い捨てベルト型おむつにおいて、
上記左右の伸縮性ベルト材の腰脇部分に、腰脇用吸収体がそれぞれ固定配置されていることを特徴とする使い捨てベルト型おむつを提供するものである。
【００１７】
ここで、腰脇部分に腰脇用吸収体を固定配置するとは、外面側シートと肌面側シートとを接着して伸縮性ベルト材を構成している場合には、腰脇用吸収体を外面側シートと肌面側シートとの間に挟着固定すること、または腰脇用吸収体を肌面側シートの上に接着若しくは交換可能に固定することも含むものである。
【００１８】
請求項２のように、上記おむつ本体の股部に、股用吸収体が固定配置されている構成が好ましい。
【００１９】
ここで、股部に股用吸収体を固定配置するとは、外面側シートと肌面側シートとを接着して股部と前腹部と後背部とを構成している場合には、股用吸収体を外面側シートと肌面側シートとの間に挟着固定すること、または股用吸収体を外面側シート若しくは肌面側シートの上に接着固定することも含むものである。
【００２０】
請求項３のように、上記おむつ本体の股部両側に、脚用凹部が形成されている構成が好ましい。
【００２１】
請求項４のように、上記おむつ本体の股部両側に、レッグ用弾性糸が添設されている構成が好ましい。
【００２２】
請求項５のように、上記おむつ本体の股部両側に、立ち上がりフラップが取付けられている構成が好ましい。
【００２３】
請求項６のように、上記伸縮性ベルト材の腰脇用吸収体が固定配置された部位の収縮力が小さく設定されている構成が好ましい。
【００２４】
請求項７のように、上記左右の伸縮性ベルト材の内面下部に、上方に向かって開口するポケット用立ち上がりフラップが取付けられている構成が好ましい。
【００２５】
一方、本発明の請求項８は、長さ方向に連続するおむつ本体用シート材の股部に相当する部位の幅方向の両側に、レッグ用弾性糸を添設する工程と、
この股部に股用吸収体を固定配置する工程と、
おむつ本体用シート材の幅方向の両側に、長さ方向に連続する立ち上がりフラップ用シート材を取付ける工程と、
長さ方向に連続する左右の伸縮性ベルト材の腰脇部分に相当する部位に、腰脇用吸収体をそれぞれ固定配置する工程と、
おむつ本体用シート材の上に、股用吸収体の両側に腰脇用吸収体が位置するように、左右の伸縮性ベルト材を重ね合わせる工程と、
先行する各吸収体と後行する各吸収体との間のおむつ本体用シート材と立ち上がりフラップ用シート材と伸縮性ベルト材とを、幅方向の両側で略Ｖ字状に接合する工程と、
この略Ｖ字状の接合部より外側の各シート材とベルト材の三角部分をカットするとともに、この三角部分の頂部を幅方向にカットする工程とを含むことを特徴とする使い捨てベルト型おむつの製造方法を提供するものである。
【００２６】
【発明の作用および効果】
請求項１の発明は、おむつ本体の前腹部と後背部とをそれぞれ連結する左右の伸縮性ベルト材の腰脇部分に、腰脇用吸収体をそれぞれ固定配置することにより、着用者の腰脇部分全体を広範囲で腰脇用吸収体でカバーできるから、特許文献１と対比して、前腹部または後背部の左右のサイドフラップに補助吸収具を面ファスナーで着脱自在に固定するのでは無いので、寝返り等の動作により外れないため漏れを確実に防止できる。特許文献２と対比して、腰脇用吸収体は、着用者の左右の両方をカバーできるので、例えば左側が下向きとなっている状態から、右側が下向きとなるように着用者が寝返ったような場合でも、腰脇部分からの横漏れを広範囲で確実に防止できるようになる。
【００２７】
また、パンツタイプとして、腰脇用吸収体を固定配置したから、特許文献１と対比して、展開状態の使い捨ておむつの前腹部または後背部の左右のサイドフラップに別体の補助吸収具をそれぞれ正規の位置に固定する必要がない。特許文献２と対比して、中央縦割りの半パンツ状物である使い捨て補助吸収具を着用した上に使い捨ておむつを重ねて着用する必要がないことから、着用者や介護者にとって固定作業や着用作業に手間がかからなくなる。
【００２８】
さらに、パンツタイプとして、腰脇用吸収体を固定配置したから、特許文献１と対比して、ファスニングテープ等で使い捨ておむつを組み立てて着用する必要が無い。特許文献２と対比して、補助吸収具と使い捨ておむつを２重に着用する必要が無いことから、着用時の快適性が向上するようになる。
【００２９】
請求項２のように、おむつ本体の股部に股用吸収体を固定配置すると、着用者から排泄された排泄物を迅速に吸収できるから、股部からの横漏れを確実に防止できるようになる。
【００３０】
請求項３のように、おむつ本体の股部両側に脚用凹部を形成すると、股部両側が着用者の脚に密着して、股部からの横漏れを確実に防止できるようになる。
【００３１】
請求項４のように、おむつ本体の股部両側にレッグ用弾性糸を添設すると、股部両側が収縮力で着用者の脚に密着して、股部からの横漏れを確実に防止できるようになる。
【００３２】
請求項５のように、おむつ本体の股部両側に立ち上がりフラップを設けると、股部からの横漏れをより確実に防止できるようになる。
【００３３】
請求項６のように、伸縮性ベルト材の腰脇用吸収体を固定配置した部位の収縮力が小さく設定すると、伸縮性ベルト材の収縮に伴う腰脇用吸収体の撚れを防止できるから、着用者の腰脇に対する腰脇用吸収体の密着性が向上して、腰脇部分からの横漏れをより確実に防止できるようになる。
【００３４】
請求項７のように、左右の伸縮性ベルト材の内面下部に、上方に向かって開口するポケット用立ち上がりフラップを取付けると、着用者が横向きに寝た状態から起き上がったような場合に、腰脇用吸収体に吸収されていた排泄物が逆流したとしてもポケット用立ち上がりフラップで受け止められるので、腰脇部分からの横漏れをより確実に防止できるようになる。
【００３５】
請求項８の発明は、使い捨てベルト型おむつの製造方法であって、おむつ本体用シート材を長さ方向に連続移動させながら、レッグ用弾性糸を添設し、股用吸収体を固定配置し、立ち上がりフラップ用シート材を取付けるとともに、腰脇用吸収体を固定配置した左右の伸縮性ベルト材を重ね合わせて、おむつ本体用シート材と伸縮性ベルト材とを略Ｖ字状に接合して三角部分をカットし、三角部分の頂部をカットすることにより、ベルト型おむつを連続製造できるから、製造工程が簡略化して設備コストや製品コストが安価になる。
【００３６】
【発明の実施の形態】
以下、本発明の実施の形態を図面を参照して詳細に説明する。
【００３７】
図１〜図７は、第１実施形態の使い捨てベルト型おむつ１Ａであり、図１は立体状態の斜視図、図２は展開状態の平面図である。
【００３８】
図３（ａ）は図２のＸ−Ｘ線断面図、図４（ａ）は図２のＹ−Ｙ線断面図、図５は使い捨てベルト型おむつ１Ａの折り畳み状態の平面図、図６はおむつ本体２の平面図、図７は使い捨てベルト型おむつ１Ａの分解斜視図である。
【００３９】
使い捨てベルト型おむつ１Ａは、おむつ本体２と左右の伸縮性ベルト材３とで基本構成されている。
【００４０】
上記おむつ本体２は、外面側シート５と肌面側シート６とを備えている。外面側シート５は、カット前（後述する連続製造時のカット工程。以下同じ。）には、図７に二点鎖線ａで示すような長方形状のシート（後述する連続製造時には前後方向に連続している。以下同じ。）であって、前腹部Ｐと股部Ｒと後背部Ｑとが形成されている。
【００４１】
上記股部Ｒの両側には複数本のレッグ用弾性糸８が伸張状態で添設されている。
【００４２】
上記外面側シート５の股部Ｒには砂時計形状の股用吸収体７が配置され、その上から外面側シート５よりも小さい長方形状の肌面側シート６が重ねられて、外面側シート５と股用吸収体７と肌面側シート６とがホットメルト接着剤、熱接着、超音波接着等により接着固定されている。なお、股用吸収体７は、砂時計形状のものに限られない。
【００４３】
図３（ａ）は、股用吸収体７を外面側シート５と肌面側シート６との間に挟着固定したものであって、このようにすれば、股用吸収体７を製造段階で正規の位置に固定することができる。
【００４４】
また、図３（ｂ）に示すように、股用吸収体７を別体として、外面側シート５に接着固定することも可能である。この場合には、透液性の表面シート７ａと不透液性の裏面シート７ｂとの間に吸収コア７ｃを挟着固定して、裏面シート７ｂを外面側シート５に接着固定する。
【００４５】
上記外面側シート５の股部Ｒの両側には、左右の立ち上がりフラップ９がそれぞれ取付けられている。この各立ち上がりフラップ９は、カット前には、図７に二点鎖線ｂで示すような長方形状のシートであって、基端部９ａは、図３（ａ）に示したように、上記レッグ用弾性糸８を挟み込んだ状態で外面側シート５にホットメルト接着剤等により接着固定されている。
【００４６】
この立ち上がりフラップ９の上端部は内側に曲げられ、その下端は立ち上がりフラップ９に接合されて立ち上がり封止部９ｂが形成され、この立ち上がり封止部９ｂ内には、複数本のフラップ用弾性糸１０が伸張状態で添設されている。
【００４７】
このようにして、外面側シート５、股用吸収体７、肌面側シート６および立ち上がりフラップ９等を接着固定することにより、図６に二点鎖線ｄで示すようなカット前のおむつ本体２の形状に組み立てられるようになる。
【００４８】
この状態で、後述する製造工程において、おむつ本体２の股部Ｒの両側を切り取ることにより、脚用凹部２ａが形成されるようになる。この脚用凹部２ａは、図１の組み立て状態では、上記伸縮性ベルト材３と相俟って脚穴部Ｓを構成するようになる。
【００４９】
上記左右の伸縮性ベルト材３は、外面側シート１２と肌面側シート１３とをそれぞれ備えている。両シート１２，１３は、カット前には、図７に二点鎖線ｃで示すような同形の長方形状のシートであって、外面側シート１２には、長さ方向に複数本のウエスト用弾性糸１４が伸張状態で添設されている。
【００５０】
上記外面側シート１２には、前部と後部の外側角部がカットされた台形状の腰脇用吸収体１５が配置され、その上から肌面側シート１３が重ねられて、外面側シート１２とウエスト用弾性糸１４と腰脇用吸収体１５と肌面側シート１３とがホットメルト接着剤、熱接着、超音波接着等により接着固定されている。
【００５１】
図４（ａ）は、腰脇用吸収体１５を外面側シート１２と肌面側シート１３との間に挟着固定したものであって、このようにすれば、腰脇用吸収体１５を製造段階で正規の位置に固定することができる。
【００５２】
また、図４（ｂ）に示すように、腰脇用吸収体１５を別体として、肌面側シート１３に接着固定することも可能である。この場合には、透液性の表面シート１５ａと不透液性の裏面シート１５ｂとの間に吸収コア１５ｃを挟着着固定して、裏面シート１５ｂを肌面側シート１３に接着固定する。このようにすれば、腰脇用吸収体１５は必要に応じて後付けも可能になるし、交換可能に固定することも可能である。
【００５３】
このようにして、外面側シート１２、ウエスト用弾性糸１４、腰脇用吸収体１５および肌面側シート１３を接着固定することにより、図５に二点鎖線ｅで示すようなカット前の伸縮性ベルト材３の形状に組み立てられるようになる。
【００５４】
そして、後述する連続製造工程において、おむつ本体２の上に左右の伸縮性ベルト材３を重ね合わせて（図５の状態）、前部両側と後部両側とがそれぞれ略台形状となるようにヒートシール等で斜めに接合するとともに、この各接合部２ｂの外側部分をカッター等で三角形状にカットするとともに、左右の接合部２ｂの間の水平部２ｃをカッター等で幅方向にカットする。
【００５５】
このようにして組み立てられた使い捨てベルト型おむつ１Ａは、使用前には、図５に示した偏平な形状となっているが、使用時に、伸縮性ベルト材３を左右に広げて、着用者が脚穴部Ｓに脚を通し、左右の伸縮性ベルト材３で囲まれた胴回り開口部Ｔに胴を通して着用すると、股用吸収体１０は着用者の股部分に位置し、左右の腰脇用吸収体１５は着用者の腰脇部分に位置するようになって、図１に示したような立体状態となる。
【００５６】
上記外面側シート５，１２は、股用吸収体７や腰脇用吸収体１５で吸収した排泄物が外側にしみ出すのを防ぐために、撥水性若しくは不透液性のシート材料が好ましい。より好ましくは、通常使い捨ておむつに用いられる撥水性不織布材料（スパンボンド不織布、メルトブロー不織布、ＳＭＳ不織布等）、通気性若しくは非通気性のプラスチックフィルム、これらの複合材料等が好適に用いられる。なお、立ち上がりフラップ９も同様のシート材料が好ましい。
【００５７】
上記肌面側シート６，１３は、着用者からの排泄物を素早く捕捉し、股用吸収体７や腰脇用吸収体１５に移行させる必要があるため、透液性のシート材料が好ましい。より好ましくは、通常使い捨ておむつに用いられる親水性繊維（セルロース、レーヨン、コットン等）を用いた不織布材料、あるいは疎水性繊維（ポリプロピレン、ポリエチレン、ポリアミド、ナイロン等）の表面を界面活性剤により処理して透液性とした不織布材料、または開孔を有するプラスチックフィルム等が好適に用いられる。
【００５８】
上記股用吸収体７および腰脇用吸収体１５は、粉砕したパルプ繊維やセルロース繊維等の親水性繊維集合層に粒状の高分子吸収体を混合した吸収コアをティッシュペーパー等の紙シートあるいは透液性不織布シートで包んで所定形状に成形したものである。また、着用者が歩いたり、寝返りを打ったりしても形状を保持できるように、親水性繊維集合体やシートに形状保持手段（ホットメルト接着剤の塗布や合成繊維の混合）を施しても良い。さらに、上記繊維や高分子吸収体をシート状に成形したシート状吸収体（エアレイド不織布、ポリマーシート等）を所定形状に成形しても良い。
【００５９】
上記各弾性糸８，１０，１４および後述する弾性糸１７は、ポリウレタン、ポリウレタンフィルム、天然ゴム等を用いるのが好ましい。
【００６０】
上記第１実施形態の使い捨てベルト型おむつ１Ａは、おむつ本体２の前腹部Ｐと後背部Ｑとをそれぞれ連結する左右の伸縮性ベルト材３の腰脇部分に、腰脇用吸収体１５をそれぞれ固定配置したものであるから、着用者の腰脇部分全体を広範囲で腰脇用吸収体１５でカバーできるとともに、腰脇用吸収体１５が寝返り動作等により外れないので、腰脇部分からの横漏れを広範囲で確実に防止できる。また、腰脇用吸収体１５は、着用者の左右の両方をカバーできるので、例えば左側が下向きとなっている状態から、右側が下向きとなるように着用者が寝返ったような場合でも、腰脇部分からの横漏れを広範囲で確実に防止できるようになる。
【００６１】
また、パンツタイプとして、腰脇用吸収体１５を固定配置したから、着用者や介護者にとって固定作業や着用作業に手間がかからなくなるとともに、着用時の快適性が向上するようになる。
【００６２】
さらに、おむつ本体２の股部Ｒに股用吸収体７を固定配置しているから、着用者から排泄された排泄物を迅速に吸収できるので、股部Ｒからの横漏れを確実に防止できるようになる。
【００６３】
さらにまた、おむつ本体２の股部Ｒの両側に脚用凹部２ａを形成しているので、股部Ｒの両側が着用者の脚に密着して、股部Ｒからの横漏れを確実に防止できるようになる。
【００６４】
また、おむつ本体２の股部Ｒの両側にレッグ用弾性糸８を添設しているので、股部Ｒの両側が収縮力で着用者の脚に密着して、股部Ｒからの横漏れを確実に防止できるようになる。
【００６５】
さらに、おむつ本体２の股部Ｒの両側に立ち上がりフラップ９を取付けているので、股部Ｒからの横漏れをより確実に防止できるようになる
図８および図９は、第２実施形態の使い捨てベルト型おむつ１Ｂであり、図８は立体状態の斜視図、図９は展開状態の平面図である。
【００６６】
第１実施形態の使い捨てベルト型おむつ１Ａと相違する構成は、腰脇用吸収体１１を固定配置する腰脇部分のウエスト用弾性糸１４の収縮力を小さく設定したことである。この収縮力を小さく設定する方法としては、例えばヒートエンボスを用いてウエスト用弾性糸１４を溶融する方法やギャザーカッターを用いてウエスト用弾性糸１４をカットする方法がある。
【００６７】
このように構成すると、ウエスト用弾性糸１４の収縮に伴う腰脇用吸収体１５の撚れを防止できるから、着用者の腰脇に対する腰脇用吸収体１５の密着性が向上して、腰脇部分からの横漏れをより確実に防止できるようになる。
【００６８】
図１０〜図１２は、第３実施形態の使い捨てベルト型おむつ１Ｃであり、図１０は立体状態の斜視図、図１１は展開状態の平面図、図１２（ａ）は図１１のＹ−Ｙ線断面図である。
【００６９】
第１実施形態の使い捨てベルト型おむつ１Ａと相違する構成は、左右の伸縮性ベルト材３の内面下部に、上方に向かって開口するポケット用立ち上がりフラップ１６を取付けたことである。
【００７０】
このポケット用立ち上がりフラップ１６は、上記立ち上がりフラップ９と同様のシート材料で構成されて、図１２（ａ）に示すように、基端部１６ａが肌面側シート１３にホットメルト接着剤等により接着固定されるとともに、上端部は内側に曲げられ、その下端は立ち上がりフラップ１６に接合されて立ち上がり封止部１６ｂが形成され、この立ち上がり封止部１６ｂ内には、複数本のフラップ用弾性糸１７が伸張状態で添設されている。
【００７１】
このように構成すると、着用者が横向きに寝た状態から起き上がったような場合に、腰脇用吸収体１５に吸収されていた排泄物が逆流したとしてもポケット用立ち上がりフラップ１６で受け止められるので、腰脇部分からの横漏れをより確実に防止できるようになる。
【００７２】
図１２（ｂ）は、図４（ｂ）と同様に腰脇用吸収体１５を別体とした場合における立ち上がりフラップ１６の取付け例である。
【００７３】
図１３に示すように、上記腰脇用吸収体１５を薄型のポリマーシート状とすることもできる。
【００７４】
すなわち、表面シート１５ａと裏面シート１５ｂとの間に、上下方向に所定の間隔を隔てて幅方向Ａに延在するＳＡＰ（高吸収性ポリマー）層１５ｄを配置して、隣り合うＳＡＰ層１５ｄの間の間隔部分をヒートシール等の接合手段１５ｅによって表・裏面シートを接合する。
【００７５】
上記腰脇用吸収体１５は、図４（ａ）と同様に、外面側シート１２と肌面側シート１３との間に挟着固定しても良いが、図４（ｂ）と同様に、肌面側シート１３に接着固定することも可能である。この場合には、腰脇用吸収体１５は必要に応じて後付けも可能になるし、交換可能に固定することも可能である。
【００７６】
図１４〜図１６は、第１実施形態の使い捨てベルト型おむつ１Ａを連続製造する工程を示したものである。
【００７７】
図１４に示すように、工程（１）において、おむつ本体２の外面側シート５を長さ（前後）方向Ｌに連続移動させながら、工程（２）において、股部Ｒに相当する部位の幅方向の両側に、レッグ用弾性糸８を添設する。
【００７８】
工程（３）において、この股部Ｒに股用吸収体７を配置する。なお、工程（２）（３）は、先後を変えることができる。
【００７９】
工程（４）において、股用吸収体１０の上に肌面側シート６を重ねて、外面側シート５と股用吸収体７と肌面側シート６とをホットメルト接着剤等により接着固定する。
【００８０】
工程（５）において、フラップ用弾性糸１０を予め添設した左右の立ち上がりフラップ９の基端部９ａを、レッグ用弾性糸８を挟み込んだ状態で外面側シート５にホットメルト接着剤等により接着固定することにより、図６に二点鎖線ｄで示したようなカット前のおむつ本体２の形状に組み立てられるようになる。
【００８１】
工程（６）において、おむつ本体２の股部Ｒの両側を切り取ることにより、脚用凹部２ａを形成する。
【００８２】
図１５に示すように、工程（７）において、左右の伸縮性ベルト材３の外面側シート１２をそれぞれ長さ（前後）方向Ｌに連続移動させながら、工程（８）において、幅方向に所定の間隔でウエスト用弾性糸１４を添設する。
【００８３】
工程（９）において、腰脇部分に相当する部位に、腰脇用吸収体１５をそれぞれ配置する。
【００８４】
工程（１０）において、腰脇用吸収体１５の上に肌面側シート１３を重ねて、外面側シート１２とウエスト用弾性糸１４と腰脇用吸収体１５と肌面側シート１３とをホットメルト接着剤等により接着固定することにより、図５に二点鎖線ｅで示したようなカット前の伸縮性ベルト材３の形状に組み立てられるようになる。
【００８５】
図１６に示すように、工程（１１）において、工程（５）で製造されたカット前のおむつ本体２の立ち上がりフラップ９の上に、工程（１０）で製造されたカット前の左右の伸縮性ベルト材３を、股用吸収体７の両側に腰脇用吸収体１５が位置するように重ね合わせる。
【００８６】
工程（１２）において、先行する各吸収体７，１５と後行する各吸収体７，１５との間の各カット前のおむつ本体２と立ち上がりフラップ９と伸縮性ベルト材３とを、幅方向の両側で略Ｖ字状に接合して接合部２ｂを形成する。
【００８７】
工程（１３）において、この略Ｖ字状の接合部２ｂより外側の各カット前のおむつ本体２と立ち上がりフラップ９と伸縮性ベルト材３との三角部分２ｄをカッター等でカットして取り除くとともに、この三角部分２ｄの頂部をカッター等で幅方向にカットして水平部２ｃを形成する。
【００８８】
このようにして、図５に示したと同様な偏平な形状で組み立てられた使い捨てベルト型おむつ１Ａが完成する。
【００８９】
上記製造方法では、使い捨てベルト型おむつ１Ａを連続製造できるから、製造工程が簡略化して設備コストや製品コストが安価になる。
【図面の簡単な説明】
【図１】第１実施形態の使い捨てベルト型おむつの立体状態の斜視図である。
【図２】図１の使い捨てベルト型おむつの展開状態の平面図である。
【図３】（ａ）は図２のＸ−Ｘ線断面図、（ｂ）は変形例の図２のＸ−Ｘ線断面図である。
【図４】（ａ）は図２のＹ−Ｙ線断面図、（ｂ）は変形例の図２のＹ−Ｙ線断面図である。
【図５】使い捨てベルト型おむつの折り畳み状態の平面図である。
【図６】おむつ本体の平面図である。
【図７】使い捨てベルト型おむつの分解斜視図である。
【図８】第２実施形態の使い捨てベルト型おむつの立体状態の斜視図である。
【図９】図８の使い捨てベルト型おむつの展開状態の平面図である。
【図１０】第３実施形態の使い捨てベルト型おむつの立体状態の斜視図である。
【図１１】図１０の使い捨てベルト型おむつの展開状態の平面図である。
【図１２】（ａ）は図１１のＹ−Ｙ線断面図、（ｂ）は変形例の図１１のＹ−Ｙ線断面図である。
【図１３】（ａ）は、薄型のポリマーシート状の腰脇用吸収体を備えた使い捨てベルト型おむつの折り畳み状態の平面図、（ｂ）は腰脇用吸収体の断面図である。
【図１４】カット前のおむつ本体を連続製造する工程図である。
【図１５】カット前の伸縮性ベルト材を連続製造する工程図である。
【図１６】使い捨てベルト型おむつを完成させる工程図である。
【符号の説明】
１Ａ〜１Ｃ  使い捨てベルト型おむつ
２      おむつ本体
２ａ    脚用凹部
２ｂ    接合部
２ｃ    水平部
３      伸縮性ベルト材
５，１２  外面側シート
６，１３  肌面側シート
７      股用吸収体
８      レッグ用弾性糸
９      立ち上がりフラップ
１４    ウエスト用弾性糸
１５    腰脇用吸収体
１６    ポケット用立ち上がりフラップ
Ｐ      前腹部
Ｑ      後背部
Ｒ      股部
Ｓ      脚穴部
【図１】
2004236850.tif 000003
【図２】
2004236850.tif 000004
【図３】
2004236850.tif 000005
【図４】
2004236850.tif 000006
【図５】
2004236850.tif 000007
【図６】
2004236850.tif 000008
【図７】
2004236850.tif 000009
【図８】
2004236850.tif 000010
【図９】
2004236850.tif 000011
【図１０】
2004236850.tif 000012
【図１１】
2004236850.tif 000013
【図１２】
2004236850.tif 000014
【図１３】
2004236850.tif 000015
【図１４】
2004236850.tif 000016
【図１５】
2004236850.tif 000017
【図１６】
2004236850.tif 000018